(57)【要約】【課題】  個々の出荷容器に対応する商品を誤りなく投入することのできるピッキングシステムを提供する。【解決手段】  一時的に商品を収容するための集品容器Ｂ内の商品を、出荷容器Ｃに移し替えるピッキングシステムであって、集品容器Ｂに設けられ、非接触で書き込みおよび読取りが可能な第１識別情報が記録される第１記録媒体Ｔと、出荷容器Ｃに設けられ、第２識別情報が記録された第２記録媒体Ｌと、第１記録媒体Ｔに識別情報を書き込む書込手段１４と、第１記録媒体Ｔの第１識別情報を読み取る第１読取手段１５と、第２記録媒体Ｌの第２識別情報を非接触で読み取る第２読取手段１７と、２つの読取手段１５，１７が読み取った２つの識別情報を照合して集品容器Ｂ内の商品を出荷容器Ｃに投入すべきか否かを判別する判別手段と、判別手段による判別結果に基づいて所定の出力を行う出力手段１８とを備える。【選択図】        図１
2005350232.tif 000002
【特許請求の範囲】
【請求項１】
一時的に商品を収容するための集品容器内の商品を、出荷するための出荷容器に移し替えるピッキングシステムであって、
前記集品容器に設けられ、非接触で書き込みおよび読取りが可能な第１識別情報が記録される第１記録媒体と、
前記出荷容器に設けられ、第２識別情報が記録された第２記録媒体と、
前記第１記録媒体に前記第１識別情報を書き込む書込手段と、
前記第１記録媒体の第１識別情報を読み取る第１読取手段と、
前記第２記録媒体の第２識別情報を非接触で読み取る第２読取手段と、
前記２つの読取手段が読み取った２つの識別情報を照合して前記集品容器内の商品を前記出荷容器に投入すべきか否かを判別する判別手段と、
前記判別手段による判別結果に基づいて所定の出力を行う出力手段とを備えたピッキングシステム。
【請求項２】
請求項１において、前記第１記録媒体が非接触データキャリアであるピッキングシステム。
【請求項３】
請求項１もしくは２において、前記集品容器には、目視で読み取り可能な数字および／または文字を表示する電子ラベルが設けられ、
前記第１識別情報を前記電子ラベルに非接触で送信する通信手段が更に設けられたピッキングシステム。
【請求項４】
請求項１、２もしくは３において、前記集品容器に商品を集品する際に、当該集品について前記第１識別情報を表示する定置式の集品表示器を更に備えたピッキングシステム。
【請求項５】
請求項１ないし４のいずれかにおいて、前記集品容器内に所定の商品が収容されているか否かの検品を行う検品手段を更に備えたピッキングシステム。
【請求項６】
請求項５において、前記第１記録媒体の第１識別情報を前記検品後に書き換える書込手段を更に備えたピッキングシステム。
【発明の詳細な説明】
【技術分野】
【０００１】
本発明は、商品棚内の商品のうちの指定された商品を集品容器に一時的に収容した後、前記集品容器内の商品を、出荷するための出荷容器に移し替えるピッキングシステムに関する。
【背景技術】
【０００２】
集荷センター等から商品を出荷する場合、ユーザから指定された商品を出荷容器（コンテナ）に直接ピッキングするピッキング作業が一般的に行なわれている。かかるピッキングシステムでは、出荷容器を搬送するコンベヤに沿って商品棚が配設され、各ゾーン毎に作業者（ピッカー）が配置されている。そして、各ゾーンにいるピッカーがオーダーリストを見て所定の商品棚から商品をピッキングし、搬送されてくる出荷容器に対応する商品を順次投入する。
【０００３】
しかし、出荷先がスーパーマーケット等の場合、消費者のニーズが多岐にわたり、要求される商品が少品種でピッキングが多頻度のものもあれば、商品が多品種でピッキングが少頻度のものもある。商品が多品種でピッキングが少頻度の場合は、出荷容器への投入作業に間隔があくにもかかわらず、出荷容器の到着に合わせて多数の商品をピッキングし、かつ、投入しなければならず、迅速な作業が要求されるため商品のピッキング間違いが起こり易い。また、出荷容器の到着如何によっては待ち時間が生じ、作業効率が低下するなどの問題があった。
【０００４】
そこで、出荷率が低い商品群については、出荷容器への商品投入と商品棚からのピッキングを同時期に行なわない（商品棚からピッキングした商品をその場で出荷容器に投入しない）、つまり、出荷容器の識別番号に対応して指定された複数の商品を予め商品棚からピッキングした後、一旦、当該商品を前記識別番号ごとに仮置台に置いて、対応する出荷容器が搬送されてきた段階で、仮置台上の商品を出荷容器に投入するピッキング方法が取られる場合がある（特許文献１参照）。
【特許文献１】特許第２９１６５６９号公報（図１）
【発明の開示】
【発明が解決しようとする課題】
【０００５】
しかし、特許文献１のピッキングシステムでは、搬送されてくる出荷容器の識別番号と、仮置台に置かれた商品に対応して表示される識別番号とが一致しているかどうかを投入作業者が目視で確認するだけなので、商品を誤った出荷容器に投入するおそれがある。
【０００６】
したがって、本発明の主目的は、個々の出荷容器に対応する商品を誤りなく投入することのできるピッキングシステムを提供することである。
【課題を解決するための手段】
【０００７】
前記目的を達成するために、本発明にかかるピッキングシステムは、一時的に商品を収容するための集品容器内の商品を、出荷するための出荷容器に移し替えるピッキングシステムであって、前記集品容器に設けられ、非接触で書き込みおよび読取りが可能な第１識別情報が記録される第１記録媒体と、前記出荷容器に設けられ、第２識別情報が記録された第２記録媒体と、前記第１記録媒体に前記識別情報を書き込む書込手段と、前記第１記録媒体の第１識別情報を読み取る第１読取手段と、前記第２記録媒体の第２識別情報を非接触で読み取る第２読取手段と、前記２つの読取手段が読み取った２つの識別情報を照合して前記集品容器内の商品を前記出荷容器に投入すべきか否かを判別する判別手段と、前記判別手段による判別結果に基づいて所定の出力を行う出力手段とを備えたことを特徴とする。
【発明の効果】
【０００８】
本発明によれば、第１読取手段が集品容器の第１記録媒体から第１識別情報を読み取り、一方、第２読取手段が出荷容器の第２記録媒体から第２識別情報を読み取る。判別手段は前記第１および第２識別情報が入力されると、２つの情報を照らし合わせて集品容器内の商品を出荷容器に投入すべきか否かを判別して、その結果を出力手段から出力する。このように、前記判別をオペレータが行なうのではなく、電子的に行なうから、商品の投入を誤るおそれが無くなる。
なお、前記第１記録媒体は、非接触で読み書きされるので、ラベル貼付等の手間も省ける。
【発明を実施するための最良の形態】
【０００９】
本発明においては、前記第１記録媒体を非接触データキャリアとするのが好ましい。
【００１０】
本発明の好ましい実施例では、前記集品容器に、目視で読み取り可能な数字および／または文字を表示する電子ラベルを設け、前記電子ラベルに前記第１識別情報を非接触で送信する通信手段を更に備えてもよい。
かかる電子ラベルを用いることで、投入者は投入する集品容器と出荷容器との関係に誤りがないか否かを確認しながら、商品の投入を行なうことができる。
【００１１】
また、本発明の別の好ましい実施例においては、前記集品容器に商品を集品する際に、当該集品について前記第１識別情報を表示する定置式の集品表示器を更に備えるようにしてもよい。
このように、定置式の集品表示器に第１識別情報を表示することで、ピッキング作業が容易になる。また、集品表示器と電子ラベルとの照合をピッカーが目視で行なうことが可能となり、ピッキング作業の誤り防止に役立つ。
【００１２】
本発明において、検品手段を更に設ければ、誤ってピッキングした商品群の出荷を防止することができる。
【００１３】
また、前記検出後に第１記録媒体の第１識別情報をクリアすることにより、照合の誤りを生じるおそれが少なくなる。
【実施例１】
【００１４】
以下、本発明の一実施例を図面に従って説明する。
図１において、本ピッキングシステムは、商品棚４０の１または複数の商品を集品籠（集品容器の一例）Ｂに予め一時的に集品した後、所定の出荷コンテナ（出荷容器の一例）Ｃに移し替えて（投入して）出荷する。集品籠Ｂから出荷コンテナＣへの移し替えは、集品籠Ｂに対応する出荷コンテナＣが出荷コンベヤ４４の投入位置４４ｐに到達したときに行われるが、該投入位置４４ｐにおいて、出荷コンテナＣに商品を投入する必要がない場合は、投入位置４４ｐでの移し替え作業は行われず、出荷コンテナＣは投入位置４４ｐを通過して下流に搬送される。
【００１５】
まず、レイアウトについて説明する。
本システムでは、１以上の商品棚４０と出荷コンベヤ４４が設けられ、これらの間には、入力台４１、バッファコンベヤ４２および検品台４３が配置されている。前記商品棚４０の近傍にはピッカー（ピッキング作業者）Ｐ１が配置され、一方、検品台４３の近傍には投入者Ｐ２が配置されている。ピッカーＰ１は所定の商品を集品籠Ｂ内に集品し、バッファコンベヤ４２に載せる。投入者Ｐ２はバッファコンベヤ４２上の集品籠Ｂを検品台４３に載せて検品作業を行うと共に、検品後の集品籠Ｂ内の商品を所定の出荷コンテナＣに移し替える。
【００１６】
前記商品棚４０には、各棚ごとに商品が収容されており、各棚に収容された商品のロケーションおよび在庫数等がコンピュータ１（図２）により管理されている。前記商品棚４０には、各棚（間口）ごとにピッキング数を指示する個数表示器１０が設けられている。図２に示すように、前記コンピュータ１には、個数表示器１０に加え、ピッキングの完了を確認するためのゾーンランプ１１やピッキング完了スイッチ１２が接続されている。なお、コンピュータ１と他の電子機器とは、所定のインターフェイスを介して接続されている。
【００１７】
図１の前記ピッカーＰ１が目視できる位置に、定置式の集品表示器１３が設けられている。該集品表示器１３には、次に商品を集品するための集品籠Ｂの籠No. （第１識別情報の一例）がコンピュータ１からの命令で表示される。
【００１８】
図３（ａ）に示すように、前記集品籠Ｂには、底面にＩＤタグ（第１記録媒体の一例）Ｔが固定されていると共に、側面には電子ラベル３が固定されている。前記ＩＤタグＴは前記籠No. を記憶でき、一方、前記電子ラベル３は当該籠No. を目視で読み取り可能な数字および／または文字で表示する。
【００１９】
図１の出荷コンテナＣにはバーコードラベル（第２記録媒体の一例）Ｌが貼付されている。前記バーコードラベルＬには出荷コンテナＣのコンテナNo. （第２識別情報の一例）に対応するバーコードが印字されて表示されている。
【００２０】
前記各籠No. は固有のNo. であるが、各籠No. ごとに商品を投入するコンテナのコンテナNo. と一致（対応）するようになっている。すなわち、本実施例では前記籠No. はコンテナNo. と同じ識別番号が付されるが、内容を理解し易くするために、集品籠Ｂに付される識別情報を籠No. といい、一方、出荷コンテナＣに付される識別情報をコンテナNo. という。
【００２１】
前記入力台４１には、第１タグリーダ・ライタ（書込手段の一例）１４（図４）のアンテナ１４ａが埋設されていると共に、トランシーバ（通信手段の一例）２が設けられている。前記第１タグリーダ・ライタ１４（図４）は入力台４１上に載置された集品籠ＢのＩＤタグＴに、集品表示器１３に表示された籠No. を記憶させる。一方、トランシーバ２は、該集品籠Ｂの電子ラベル３に、当該籠No. を記憶させて表示させる。
なお、前記ＩＤタグＴおよび電子ラベル３の詳細については後述する。
【００２２】
前記バッファコンベヤ４２には、集品された商品を収容した集品籠Ｂが一時的に貯留（待機）される。前記バッファコンベヤ４２は、たとえばフリーローラコンベヤからなり、該バッファコンベヤ４２の下流には前記検品台４３が連なっている。
【００２３】
前記検品台４３には、図２に示すように、前記籠No. を読み取ると共に消去するための第２タグリーダ・ライタ（第１読取手段および書込手段の一例）１５のアンテナ１５ａ（図１）が埋設されていると共に、前記検品台４３は前記集品籠Ｂ内の商品の検品をするための計量手段１６のロードセルに支持されている。
【００２４】
ここで、商品の検品の方法の一例について簡単に説明する。
前記コンピュータ１は検品手段１ｂおよびメモリ１ｃを備えている。前記メモリ１ｃには、図３（ｂ）および（ｃ）に示すように、各籠No. ごとに商品の種別および集品個数が記憶されていると共に、各商品ごとの重量が商品マスタに記憶されている。前記検品手段１ｂは前記商品の種別、個数、商品重量に基づいて各籠No. ごとの商品群の重量を算出する。一方、前記計量手段１６（図２）からは計量信号がコンピュータ１に出力され、コンピュータ１は計量された重量から風袋引して商品の計量した重量を得る。コンピュータ１は、前記商品の計量した重量が前記算出した重量に一致ないし近似しているときには、ピッキングされた商品に誤りがないと判断し、一方、そうでない場合はピッキングされた商品に誤りがあったと判断し、これらの判断に応じた出力が図１の投入表示器１８によりなされる。
【００２５】
つぎに、本実施例で用いる前記第１および第２タグリーダ・ライタ１４，１５および前記ＩＤタグＴについて簡単に説明する。
図４（ａ）に示すように、各リーダ・ライタ１４，１５のコントローラボックス１４ｂ，１５ｂ内に設けたアンテナコントローラ１００は、ＩＤタグＴに記録された情報（籠No. ）を一定周期で読み出すコマンドを発振回路１０１に送信する。ＩＤタグＴが所定のエリア内に存在していると、アンテナ１４ａ，１５ａの送信コイルＬ１とＩＤタグＴの送受信コイルＬ３との間に生じる電磁誘導作用により、ＩＤタグＴの制御回路１１０がEEPROM１１１内の情報を読み出す。ＩＤタグＴの制御回路１１０は、当該情報に応じた残響を送受信コイルＬ３に出力する。一方、該送受信コイルＬ３と、アンテナ１４ａ，１５ａの受信コイルＬ２との間の電磁誘導作用により、前記残響が受信回路１０２で受信されると、該受信した残響が復調回路１０３で復調され、アンテナコントローラ１００に出力される。アンテナコントローラ１００は、前記復調された情報をコンピュータ１に出力する。
【００２６】
前記ＩＤタグＴに情報（受付No. 、受付日時）を記録させる場合には、アンテナコントローラ１００がＩＤタグＴに記録させる情報と、ＩＤタグＴに当該情報を記録させるコマンドとを送信する。該情報およびコマンドは、送信コイルＬ１と送受信コイルＬ３との間に生じる電磁誘導作用により送信され、ＩＤタグＴの制御回路１１０がEEPROM１１１に当該情報を記録させる。
【００２７】
なお、かかる電磁誘導方式のＩＤタグＴ、アンテナ１４ａ，１５ａおよびコントローラボックス１４ｂ，１５ｂは、たとえば特開平１０−７５８７９号公報の段落番号〔００１３〕ないし〔００１４〕に開示されており、たとえば、オムロン（株）製のＶ７００シリーズを採用することができる。
【００２８】
つぎに、前記電子ラベル３について説明する。
図４（ｂ）に示すように、トランシーバ２は、電子ラベル３への送信機能と、電子ラベル３からのフィードバック信号の受信機能とを併せ持った赤外線（無線）交信機である。トランシーバ２は、コンピュータ１の送信内容記憶部に記憶された前記籠No. 等を赤外線を用いて電子ラベル３に送信し、一方、電子ラベル３からのフィードバック信号を受信してコンピュータ１に伝える。
【００２９】
電子ラベル３は、周知の電子棚札（特開２０００−２８７７９８号、特開２００１−５１２６７号等）の構造を採用することができ、たとえば、前記トランシーバ２との交信を行う赤外線送信部３１、赤外線受信部３２および赤外線送受信回路３０と共に、ＣＰＵ３３、メモリ３４、籠用表示器３５およびバッテリ３９などを備えている。電子ラベル３の各機器は、バッテリ３９から供給される電力によって作動する。
【００３０】
籠用表示器３５は、前記籠No. を表示する。該籠用表示器３５は電圧無印加で透過率が異なる双安定状態を保持できる液晶表示器で、画面の光を通す状態と、光を反射する状態の２つの状態を電圧を加えずに安定して維持でき、たとえば、コレステリック液晶や電子ペーパーなどの双安定性を有するデバイスで構成されている。
【００３１】
なお、前記トランシーバ２および第１タグリーダ・ライタ１４からの電波は、入力台４１上に載置された集品籠Ｂにのみ届く程度に設定されている。
【００３２】
図１において、前記出荷コンベヤ４４の投入位置４４ｐには、定置型のバーコードリーダ（第２読取手段の一例）１７が設けられている。前記バーコードリーダ１７は出荷コンテナＣのバーコードラベルＬを読み取って解読し、解読したコンテナNo. を図２のコンピュータ１に出力する。
【００３３】
前記コンピュータ１は判別手段１ａを備えている。
前記メモリ１ｃには投入位置４４ｐにおいて商品を投入すべきコンテナNo. が記憶されており、前記判別手段１ａはバーコードリーダ１７で読み取ったコンテナNo. の出荷コンテナＣを停止させるべきか否かをまず判別する。投入位置４４ｐにおいて商品を投入すべき場合には、判別手段１ａはストッパ１９を突出させて出荷コンテナＣを投入位置４４ｐに停止させ、一方、投入すべきでない場合にはストッパ１９を突出させずに出荷コンテナＣを通過させる。
前記判別手段１ａは、前記バーコードリーダ１７からのコンテナNo. と前記検品台４３上の集品籠Ｂから第２タグリーダ・ライタ１５が読み取った籠No. とが一致するか否か（照合の一例）により、集品籠Ｂ内の商品を出荷コンテナＣ内に投入すべきか否かを判別する。判別手段１ａは、投入すべき場合には投入表示器（出力手段）１８に投入命令に対応するメッセージを表示させる。
【００３４】
つぎに、本システムの運用について説明する。
まず、ピッキング作業について簡単に説明する。
【００３５】
所定のトリガーにより、コンピュータ１が図１の集品表示器１３に籠No. （コンテナNo. ）を算用数字で表示させると、ピッカーＰ１は、床上に積み上げられた空の集品籠Ｂのうちの任意の１つを取り上げ入力台４１上に載置する。載置後、書込スイッチ５０を押下すると、集品籠ＢのＩＤタグＴに第１タグリーダ・ライタ１４（図２）により前記集品表示器１３が表示したと同じ籠No. が記憶され、一方、当該集品籠Ｂの電子ラベル３に当該籠No. が記憶されると共に、当該籠No. が電子ラベル３の籠用表示器３５に算用数字で表示される。
【００３６】
一方、前記書込スイッチ５０の押下に伴い、各商品棚４０にはピッキングすべき商品の棚に個数表示器１０によりピッキングすべき個数が表示される。ピッカーＰ１は前記籠No. が記録された集品籠Ｂに前記表示された個数の商品を集品しながら、前記個数表示器１０の表示を消灯させる。１つのゾーン内の集品籠Ｂに対する全ての商品のピッキングが終了するとゾーンランプ１１が消灯し、全てのゾーンランプ１１が消灯すると集品表示器１３の表示が点滅する。ピッカーＰ１は、図２のピッキング完了スイッチ１２を押下する。これにより、集品表示器１３は消灯するが、次回の集品指示がある場合は、直ちに次の籠No. （コンテナNo. ）を表示する。
【００３７】
ピッカーＰ１は１回のピッキングが終了すると、当該集品した集品籠Ｂをバッファコンベヤ４２の上流の部分に載置する。これら一連の作業を繰り返すことによりバッファコンベヤ４２には集品された集品籠Ｂが貯留されていく。
【００３８】
つぎに、検品および投入作業について説明する。
出荷コンベヤ４４上を出荷コンテナＣが搬送されて、投入位置４４ｐに到達する直前に、出荷コンテナＣのバーコードラベルＬのコンテナNo. がバーコードリーダ１７により読み取られる。コンピュータ１には、投入位置４４ｐにおいて商品を投入すべきコンテナNo. が記憶されており、コンピュータ１は前記読み取られたコンテナNo. に基づいて商品を投入すべきか否かを判別し、商品を投入すべき場合はストッパ１９を突出させて当該コンテナNo. の出荷コンテナＣを投入位置４４ｐに停止させ、一方、商品を投入すべきでない場合はストッパを下げて出荷コンテナＣを停止させずに通過させる。
【００３９】
一方、投入者Ｐ２はバッファコンベヤ４２上の集品籠Ｂを検品台４３上に移載する。検品台４３上において、集品籠ＢのＩＤタグＴの籠No. が第２タグリーダ・ライタ１５（図２）で読み取られ、前記投入位置４４ｐに停止している出荷コンテナＣのコンテナNo. と前記籠No. とが一致するか否かがコンピュータ１の判別手段１ａにより判別される。一方、集品籠Ｂ内の商品の合計重量が計量されて、当該籠No. に対応する商品が当該集品籠Ｂ内に集品されているか否かをコンピュータ１の検品手段１ｂが検品する。前記籠No. とコンテナNo. が一致し、かつ、前記検品が合格の場合は、投入表示器１８に投入命令を意味する表示がなされる。
【００４０】
投入者Ｐ２は前記投入表示器１８の表示に従い検品台４３上の集品籠Ｂ内の商品を投入位置４４ｐ上の出荷コンテナＣ内に移し替える。この移し替え後、投入者Ｐ２が当該集品籠Ｂを再び検品台４３上に載置し、移し替え完了ボタンを押下すると、集品籠ＢのＩＤタグＴのデータが消去される。
【００４１】
前記検品の結果、集品籠Ｂ内に所定の商品が収容されていないとコンピュータ１の検品手段１ｂが判断した場合は、ピッキングに誤りがあったことを意味する表示が投入表示器１８に表示される。他方、前記照合判別の結果、検品台４３上の集品籠Ｂの籠No. と投入位置４４ｐの出荷コンテナＣのコンテナNo. とが一致していない場合は、番号不一致の表示がなされる。
【００４２】
このように、本システムでは、集品籠Ｂ内に所定の商品が集品されているか否か、集品籠Ｂ内の商品を出荷コンテナＣに投入すべきか否かを電子的にチェックするので、ピッキングおよび投入ミスを防止し得る。
また、集品籠Ｂに紙ラベルをその都度貼付する手間が省けるので作業性が向上する。
【００４３】
また、コンピュータ１による判別だけでなく、投入者Ｐ２が集品籠Ｂの電子ラベル３の表示器３５と出荷コンテナＣのバーコードラベルＬとを目視で照らし合わせることもできるから、投入ミスを確実に防止できる。
【００４４】
なお、検品台４３において集品籠ＢのＩＤタグＴの籠No. の情報を消去するので、更に、誤りの生じるおそれが少なくなる。
【００４５】
ところで、本発明においては、検品台４３において集品籠ＢのＩＤタグＴの情報を必ずしも消去する必要はない。一方、入力台４１のトランシーバ２とは別に検品台４３にもトランシーバを設け、前記投入後に、該別のトランシーバにより集品籠Ｂの電子ラベル３のデータを消去するようにしてもよい。
【００４６】
また、前記実施例では投入の際に検品を行ったが、入力台４１に計量手段を設け、ピッキング終了時に入力台４１の上に集品籠を載せて検品を行ってもよい。また、ピッキング終了時および投入の際の双方において行ってもよい。更に、検品の方法は前述の方法とは別の方法を採用してもよい。
【００４７】
また、前記実施例では、コンテナNo. と照合するための籠No. をＩＤタグのような非接触のデータキャリアに記憶させたが、非接触で読み書き可能であれば、第１記録媒体は他の媒体であってもよい。
たとえば、集品籠Ｂの電子ラベル３の表示器３５を撮像するＣＣＤカメラを検品台４３に設けると共に、該ＣＣＤカメラで撮像した画像から籠No. を解読するＯＣＲなどを設け、籠No. を読み取ってもよい。あるいは、集品籠Ｂの電子ラベル３に、目視で読み取り可能な数字および／または文字の他に籠No. に対応するバーコードをドット式で表示させ、該ドット式のバーコードを読み取ってもよい。
【００４８】
なお、出荷コンテナＣに設ける第２記録媒体についても非接触で読み取り可能であれば、バーコードラベル以外の手段であってもよい。
【００４９】
以上のとおり、図面を参照しながら好適な実施例を説明したが、当業者であれば、本明細書を見て、自明な範囲内で種々の変更および修正を容易に想定するであろう。
たとえば、前記投入表示器１８に代え、あるいは投入表示器１８に加え、音声により、照合の判別結果や検品の結果を出力して投入者Ｐ２に知らせてもよい。
また、前記実施例では、説明の簡略化のために、多くの演算・制御機能をコンピュータ１が持っていることとしたが、マイコンなどを備えた検品器を別に設けて分散処理を行ってもよい。
したがって、そのような変更および修正は、請求の範囲から定まる本発明の範囲内のものと解釈される。
【産業上の利用可能性】
【００５０】
本発明は集品容器に集品した商品を出荷容器に移し替えるピッキングシステムに適用できる。
【図面の簡単な説明】
【００５１】
【図１】本発明にかかるピッキングシステムの一実施例を示す概略レイアウト図である。
【図２】同システムの概略構成図である。
【図３】（ａ）は集品籠の概略斜視図、（ｂ），（ｃ）はメモリの記憶内容を示す図表である。
【図４】（ａ）はリーダ・ライタの概略構成図、（ｂ）は電子ラベル等の概略構成図である。
【符号の説明】
【００５２】
１３：集品表示器
１４：第１タグリーダ・ライタ（書込手段）
１５：第２タグリーダ・ライタ（第１読取手段、書込手段）
１７：バーコードリーダ（第２読取手段）
１８：投入表示器（出力手段）
１ａ：判別手段
１ｂ：検品手段
２：トランシーバ（通信手段）
３：電子ラベル
Ｂ：集品籠（集品容器）
Ｃ：出荷コンテナ（出荷容器）
Ｔ：ＩＤタグ（第１記録媒体、非接触データキャリア）
Ｌ：バーコードラベル（第２記録媒体）
【図１】
2005350232.tif 000003
【図２】
2005350232.tif 000004
【図３】
2005350232.tif 000005
【図４】
2005350232.tif 000006